(57)【特許請求の範囲】
【請求項１】
脚体に支持された、展示品を載置する載置台と、該載置台上の前記展示品を照らす照明装置と、前記載置台の上方を覆う透過性の素材でからなる下方が開口された箱状の蓋体と、を備えた展示ケースにおいて、
前記載置台の後方から支持体を立設し、該支持体の上部前面に、前記蓋体の上面板から上方向に所定距離離間して前記照明装置を支持するとともに、前記脚体の上部に前記載置台を支持する枠体を構成し、前記枠体と前記載置台間、または両者間のいずれか一方に形成した一対の前後方向の溝条に蓋体を支持し、前記蓋体の下端縁を前記前後方向の溝条に沿って前後に摺動させることで、前記蓋体を前記枠体に対し取り外し可能に支持したことを特徴とする展示ケース。
【請求項２】
前記枠体を、前後方向に延びる左右一対の杆材と、該杆材同士を連結する前後一対の杆材とで構成し、前記溝条に開口上向き凹字状の縁材を架設した請求項１に記載の展示ケース。
【請求項３】
前記枠体における左右一対の杆材に施錠装置を設けて、前記蓋体を、前記摺動可能状態と、不能状態との何れかに選択可能に支持した請求項２に記載の展示ケース。
【請求項４】
前記蓋体を、軽量の透光性素材から成型した請求項１乃至３のいずれかに記載の展示ケース。
【請求項５】
前記脚体を前記枠体の四隅に設けた支脚で構成し、前記支持体を、前記支脚のうち後方の二者を前記蓋体の高さよりも上方へ延設し、かつ、その上端部同士を上部横杆により連結して構成した請求項１乃至４のいずれかに記載の展示ケース。
【発明の詳細な説明】
【技術分野】
【０００１】
本発明は、脚体に支持された、展示品を載置する載置台と、該載置台上の物品を照らす照明装置と、前記載置台の上方を覆う透過性の素材でからなる下方が開口された箱状の蓋体と、を備えた展示ケースに関する。
【背景技術】
【０００２】
展示品を載置する載置台と箱状の蓋体とを備え、蓋体内の展示物を照明装置により照らすことを可能とした従来の展示ケースとして、蓋体の支持部上面に蝶番を介して照明ボックスを取り付け、使用時に照明ボックスを蓋体の上部に向かって回転させて展示物をより近接した状態で内部を照明し、照明ボックスの点検や照明具の交換時には、照明ボックスを上方に回転させたたものが公知である（特許文献１参照）。また、他の照明装置付き展示ケースとして、展示ケースの後面開口部に扉を枢着し、扉の前面に照明装置を設け、この照明装置は施錠装置で開閉される蓋板に取り付けられたものが知られている（特許文献２参照）。
【０００３】
【特許文献１】特開平９−４０３号公報（段落００１６、００２１、図２）
【特許文献２】特開平９−２１５５６７号公報（段落００２１、００２２、図２）
【発明の開示】
【発明が解決しようとする課題】
【０００４】
しかしながら、特許文献１に記載の展示ケースにおいては、照明ボックスが蓋体の上面一部を覆うため見る方向によっては展示物が若干見づらく、しかも展示物の交換や点検のために蓋体を取り除く際に照明ボックスを上方に向かって回動させなければならず、手間が掛かった。そして照明ボックスを上方に回動させると、照明の向きが変わるため載置台にある展示物をしっかりと照明できない問題があった。一方、特許文献２に記載の展示ケースにおいては、照明装置が展示ケース内に入り込んでいるため展示空間の有効利用が損なわれると共に、展示品の交換に際して照明装置付きの扉を開閉しなければならず、しかも照明装置の交換や点検の場合は、施錠装置によって蓋板を外す作業を必要とした。
【０００５】
本発明は、このような問題点に着目してなされたもので、照明装置に何等手を施すことなく容易に蓋体を載置台から取り除くことができ、照明装置の交換や点検が蓋体の開閉と無関係に行える展示ケースを提供することを目的とする。
【課題を解決するための手段】
【０００６】
上記課題を解決するために、本発明の請求項１に記載の展示ケースは、脚体に支持された、展示品を載置する載置台と、該載置台上の前記展示品を照らす照明装置と、前記載置台の上方を覆う透過性の素材でからなる下方が開口された箱状の蓋体と、を備えた展示ケースにおいて、前記載置台の後方から支持体を立設し、該支持体の上部前面に、前記蓋体の上面板から上方向に所定距離離間して前記照明装置を支持するとともに、前記脚体の上部に前記載置台を支持する枠体を構成し、前記枠体と前記載置台間、または両者間のいずれか一方に形成した一対の前後方向の溝条に蓋体を支持し、前記蓋体の下端縁を前記前後方向の溝条に沿って前後に摺動させることで、前記蓋体を前記枠体に対し取り外し可能に支持したことを特徴としている。
この特徴によれば、照明装置が蓋体の上面板から所定距離離間して支持されているので、照明装置の交換や点検が蓋体の開閉と無関係に行え、しかも展示物の交換等に際しては、蓋体を前上方に傾斜させながら、一対の前後方向の溝条内を摺動させることで、容易に載置台側から取り外すことができる。
【０００７】
本発明の請求項２に記載の展示ケースは、請求項１に記載の展示ケースであって、前記枠体を、前後方向に延びる左右一対の杆材と、該杆材同士を連結する前後一対の杆材とで構成し、前記溝条に開口上向き凹字状の縁材を架設したことを特徴としている。
この特徴によれば、枠体を４つの杆材で構築するので脚体の支持が安定し、かつ溝条に開口上向き凹字状の縁材を架設したことで、厳格な寸法精度が要求されることなく凹溝を形成することができる。また、縁材を丈夫で滑りやすい材質で形成することで、蓋体を縁材の凹字状の部分で安定して支持し、かつ円滑に摺動させることができる。
【０００８】
本発明の請求項３に記載の展示ケースは、請求項２に記載の展示ケースであって、前記枠体における左右一対の杆材に施錠装置を設けて、前記蓋体を、前記摺動可能状態と、不能状態との何れかに選択可能に支持したことを特徴としている。
この特徴によれば、蓋体を施錠装置により摺動可能状態と、不能状態との何れかに選択可能に支持したので、蓋体がみだりに取り外されて物品が盗難されるのを防止できる。
【０００９】
本発明の請求項４に記載の展示ケースは、請求項１乃至３の何れかに記載の展示ケースであって、前記蓋体を、軽量の透光性素材から成型したことを特徴としている。
この特徴によれば、軽量であるので蓋体の取り扱いが楽であり、脚体からの取り外しをスムーズに行うことができるとともに、上方に離間した照明装置の光も、充分に通すことができる。
【００１０】
本発明の請求項５に記載の展示ケースは、請求項１乃至４の何れかに記載の展示ケースであって、前記脚体を前記枠体の四隅に設けた支脚で構成し、前記支持体を、前記支脚のうち後方の二者を前記蓋体の高さよりも上方へ延設し、かつ、その上端部同士を上部横杆により連結して構成したことを特徴としている。
この特徴によれば、後方の支脚の高さを大とするという容易な方法で支持体を構成でき、別体の複雑な支持構造体を構成する必要が無い。
【発明を実施するための最良の形態】
【００１１】
本発明の実施例を以下に説明する。
【実施例】
【００１２】
図１は、本発明の実施例における展示ケースの全体像を示す斜視図であり、図２は、展示ケースの分解組立斜視図であり、図３は、展示物を覆う蓋体の取り付けおよび取り外しを示す斜視図であり、図４（ａ）は、本実施例における蓋体の背面側の斜視図であり、図４（ｂ）は、変形例である蓋体の背面側の斜視図であり、図５は、蓋体の取り付け時における載置台の前方角部および、その近傍を示す要部拡大斜視図であり、図６は、蓋体の取り付け時における載置台の側部および、その近傍を示す要部拡大斜視図であり、図７（ａ）は、載置台の開口部内に蓋体の下向片が差し込まれた状態および施錠装置に対し、鍵を操作する状態を示す正面視断面図であり、図７（ｂ）は、図７（ａ）のＡ−Ａ断面線の断面図であり、図８（ａ）は、鍵操作によって蓋体の下向片が施錠装置に施錠された平面視断面図であり、図８（ｂ）は、図８（ａ）のＢ−Ｂ断面線の断面図であり、図９は、蓋体の取り外し過程を示す側面視概略図である。
【００１３】
図１に示されるように、展示ケース１の上部には、下向きに開口された蓋体１５が設けられ、展示ケース１内の展示物Ｔを外部から保護しつつ閲覧可能となっている。以下、本実施例の説明において、図１に図示された展示ケース１を対面した状態で見て、展示ケース１の手前側を前方とし、展示ケース１の奥行き側を後方とし、左手側を左方、右手側を右方として説明する。
【００１４】
展示物Ｔが載置される上面視横長矩形の載置台２は、床面２８に対して前後に配置されたアルミ合金やスチール等の金属製の左右一対の支脚となる前部脚体６，６および後部脚体７，７と、これら前後の脚体６，７の上部同士を連結する平面視方形の左右前後の杆材１１，１１の上面視横長の枠体１２とによって支持されている。
【００１５】
各杆材１１の四隅の前後４本の脚体６，７のうち、後部脚体７，７の上端部の位置は、蓋体１５の上面板１５ａの高さよりも高く、上面板１５ａから上下方向に所定間隔離間して延設された長さとなっている。後部脚体７，７間の上端部間には、アルミの押出しによって成型された横長の上部横杆９が架設されたことで上端部同士が連結されている。上部横杆９の前面位置には下方を照らす照明装置２６が支持固定され、載置台２上の展示物Ｔに向けてスポットライトを当てている。このように、後部脚体７，７の高さを大とする容易な方法で、かつ、その上端部同士を上部横杆９で連結して照明装置２６を支持する支持体が構成されるので、別体の複雑な支持構造体を構成する必要が無い。
【００１６】
蓋体１５は透光性を備えた軽量かつ強度のある硬質な合成樹脂材（例えばアクリル等）によって成型されているので、上方に離間した照明装置の光も、充分に通すことができるとともに、蓋体１５の自重も抑えられ取り扱いも楽である。また、上部横杆９と後方の杆材１１と左右の後部脚体７，７とで構成される枠内には、背面板８が嵌め込まれており、この背面板８が照明光の反射板としても活用されている。
【００１７】
また、照明装置２６に接続される給電ケーブル（図示省略）は、載置台２の下面と床面２８に架設された配線ダクト２７を介して、床面２８に向けて配線されている。左右一対の前部脚体６，６間および後部脚体７，７間にはそれぞれ幕板１４，１４が、そして前後する左右の前部脚体６，６と後部脚体７，７間にはそれぞれ幕板１４’，１４’が取り付け可能で載置台２の下方を遮蔽することができる。
【００１８】
図２に示されるように、左右の杆材１１，１１および前後の杆材１１，１１は、断面視矩形の角形金属パイプで成型され、この左右の杆材１１，１１の略中央位置には、施錠装置２４，２４を取り付ける収納凹部が１１ｂ，１１ｂが形成されている。前部脚体６，６および後部脚体７，７の同じ高さ位置には、直交する２方向に向けて、上向きに開口するコ字状の連結部６ａ，７ａが各々延設されている。
【００１９】
そこで、左右の杆材１１，１１の前端部に後方を向く連結部６ａ，６ａが嵌入され、この左右の杆材１１，１１の後端部に前方を向く連結部７ａ，７ａが嵌入されるとともに、前後の杆材１１，１１の左端部に右方を向く連結部６ａ，７ａが嵌入され、右端部に左方を向く連結部６ａ，７ａが嵌入されることで、前述の載置台２を取り付ける矩形の枠体１２が構成される。載置台２の前端上縁および左右端上縁には、切欠き部３，４，４が形成され、左右の切欠き部４，４の前後中間位置には、上下に開放する開口４ａ，４ａが形成されており、さらに開口４ａ，４ａの下部側面には、受け溝４ｂ，４ｂが形成されている。
【００２０】
載置台２の取り付けには、４つの同型の支持金具１３が用いられており、各支持金具１３は板金の折り曲げから側面視Ｌ字に成型され、載置台２の下面に連結される水平面１３ａと前後の杆材１１，１１の互いに対面する側端面部１１ａ，１１ａに連結される垂直片１３ｂの２片とから構成され、支持金具１３を介してネジで載置台２と前後の杆材１１，１１とが強固に連結されている。このように、施錠装置２４，２４と支持金具１３，１３とをそれぞれ別々の一対の杆材１１，１１に分けて設けることができるので、施錠装置２４と支持金具１３とが互いに干渉することなく配設でき、展示ケース１の設計が容易となっている。
【００２１】
左右の後部脚体７，７の上端部の互いに対面する面には、連結材１０，１０がネジで螺着され、左右に延在する上部横杆９の左右端部に連結材１０，１０の一部が嵌入することで後部脚体７，７間に架設され連結されるとともに、この上部横杆９の下部に位置する背面板８は、後部脚体７，７に対して、背面板８の左右側端の一部が後部脚体７，７の対面側に凹凸嵌合することで架設される。
【００２２】
載置台２が左右前後の杆材１１，１１から構成される枠体１２内に取り付けられると、前方の杆材１１側端面部１１ａと切欠き部３との間に左右方向に沿って、後述する溝条が形成されるとともに、左右の杆材１１の側端面部１１ａ，１１ａと切欠き部４，４との間にも前後方向に沿って、後述する溝条が形成される。前方の杆材１１側端面部１１ａと切欠き部３との間の溝条には合成樹脂製の１本の縁材２２が、左右の杆材１１の側端面部１１ａ，１１ａと切欠き部４，４との間と、２本の縁材２１，２１を取り付け可能になっており、縁材２２および縁材２１，２１には、それぞれの長さ方向に沿って凹字状内壁面２２ａ，２１ａが形成され、図３に示されるように、縁材２１，２１および縁材２２は、それぞれの凹字状内壁面２１ａ，２１ａ，２２ａを上向きに開口した状態で、各溝条内に架設されている。
【００２３】
蓋体１５は、左右一対の側板１９，１９と、前後の前板２０および後板１８と、上部を閉蓋する前方の一部にテーパー面を備えた上面板１５ａと、を接着剤等の接合によって組み上げられ、下向きに開口するケース体として構成されており、これら側板１９，１９および前板２０の下端縁１６が、縁材２１，２２の凹字状内壁面２１ａ，２２ａに載置して取り付けられる。尚、蓋体１５の成型としては金型成型で一体に構成してもよいし、熱処理による折り曲げ成型によって構成してもよい。
【００２４】
側板１９，１９の下端縁１６，１６の前後略中間位置には、下方に向けて下向片１７，１７が設けられ、左右に貫通する被係合部である係合孔１７ａ，１７ａが開口形成されている。左右の杆材１１，１１に設けられた２箇所の施錠装置２４，２４は、後述において詳しく説明するが、載置台２に取り付けられた蓋体１５を取り外し不能に規制する手段として利用されており、蓋体１５の取り外しが防止されている。また側板１９，１９の下部位置には前後方法に向けて手掛部１９ａ，１９ａが延在されており、蓋体１５の載置台２側からの着脱時に利用することができる。
【００２５】
尚、図４（ａ）に示されるように後板１８の下部は、前後に貫通する開口１８ａが形成されたことで、蓋体１５の着脱のいずれの過程において、蓋体１５を照明装置２６に干渉しないように前方に引き出すとき又は後方に収納するときに、載置台２上の展示物Ｔに後板１８が干渉することが避けられ、取り付けおよび取り外しをより簡便に行える構成であることから好ましいが、図４（ｂ）に示されるように、開口１８ａのない後板１８’を備えた蓋体１５’を載置台２に取り付けることも可能であり、展示物Ｔよりも蓋体１５’を高く持ち上げることで、展示物Ｔとの干渉が避けられる。
【００２６】
尚、いずれの蓋体１５，１５’においても、左右の側板１９，１９の下端縁１６は、後板１８，１８’の下端面よりも下方に向けて突設しており、前述した左右の縁材２１，２１の凹字状内壁面２１ａ，２１ａ内に側板１９，１９の下端縁１６が収納される際に、載置台２の上面と後板１８，１８’の下端面との当接が避けられている。また、本実施例の展示ケース１は背面板８を備えており、開口１８ａを外部から閉塞する機能を備えているが、例えば、背面板８のない展示ケースの場合には、開口１８ａのない蓋体１５’を利用する。
【００２７】
次に、蓋体１５の取り付けについて図５および図６に基づいて具体的に説明する。図５に示されるように、前方の杆材１１の側端面部１１ａと載置台２の切欠き部３との間に生じる溝条Ｍ１に嵌め込まれ架設した縁材２２の前後一対の垂直立片の上端には、前方の杆材１１および載置台２に載置する延出部２２ｂ，２２ｂが形成されている。これにより、縁材２２が溝条Ｍ１に簡易な構成で安定して支持され、且つ凹字状内壁面２２ａの底部は、後方の杆材１１の上面よりも下方に位置するように形成されており、蓋体１５の前板２０の下端縁１６が縁材２２の凹字状内壁面２２ａの底部に向けて挿し込まれることで、簡便に凹字状内壁面２２ａを介して間接的に溝条Ｍ１内に嵌合され取り付けられる。従って、溝条Ｍ１に寸法的な誤差が多少生じても縁材２２側に寸法精度が出ていれば、何等問題なく組み付けを行うことができる。
【００２８】
図６に示されるように、右方の杆材１１の側端面部１１ａと載置台２の右側面側の切欠き部４との間に生じる溝条Ｍ２に嵌め込まれ架設した縁材２１の左右一対の垂直立片の上端には、前述の縁材２２と同様にして、延出部２１ｂ，２１ｂが形成されたことで、縁材２１が溝条Ｍ２に安定して支持され、且つ凹字状内壁面２１ａの底部は、右方の杆材１１の上面よりも下方に位置するように形成されており、蓋体１５の側板１９の下端縁１６が縁材２１の凹字状内壁面２１ａに挿し込まれることで、簡便に凹字状内壁面２１ａを介して間接的に溝条Ｍ２内に嵌合され取り付けられる。従って、溝条Ｍ２に寸法的な誤差が多少生じても縁材２１側に寸法精度が出ていれば、何等問題なく組み付けを行うことができる。
【００２９】
また、縁材２１および縁材２２は共に合成樹脂材で成型されているので、蓋体１５の着脱が繰り返し行われても、蓋体１５の下端部１６と載置台２および前方および左右の杆材１１との直接の干渉が避けられるので、互いの劣化が防止され長期間に渡り使用することができ、縁材２１，２２が磨耗されてきた場合には、容易に交換することが可能である。尚、以下の説明において、左方の杆材１１およびその近傍の載置台２の左側面側の構成については、右方の杆材１１およびその近傍の載置台２の右側面側の構成と左右対称構造のため説明を割愛する。
【００３０】
縁材２１の凹字状内壁面２１ａの前後略中間位置に位置する底部には、蓋体１５の下向片１７を挿し込み可能な貫通孔２１ｃが形成されており、側板１９の溝条Ｍ２への取り付け時に下向片１７が貫通孔２１ｃを通過して下方に向けて挿し込まれ、さらに載置台２の切欠き部４に形成した開口４ａを通過して下方に延びている。
【００３１】
この開口４ａに隣接する側端面部１１ａには、開口４ａに対して開口された収納凹部１１ｂが右方の杆材１１内に形成されており、施錠装置２４が設けられている。施錠装置２４の下部には、板状ロック片２４ａが水平で前方向に向けて延設されるとともに、施錠装置２４の上部が右方の杆材１１の上面に突設され、後述する鍵操作で施解錠可能な施錠操作部２４ｂが形成されている。尚、図示される板状ロック片２４ａの前方を向く方向は施錠装置２４の解錠状態の設定となっている。
【００３２】
尚、図５および図６に示されたように、溝条Ｍ１，Ｍ２に縁材２２と縁材２１を架設したことで、溝条Ｍ１，Ｍ２幅と蓋体１５の下端縁１６の取り付け幅とを互いに厳格な寸法精度によって形成することなく、縁材２２，２１によって溝条Ｍ１，Ｍ２の取り付け幅が調整されている。このようにして、凹字状内壁面２２ａおよび凹字状内壁面２１ａの底部が前方の杆材１１および左右の杆材１１，１１の上面よりも下方に位置して形成されたことで、蓋体１５の前板２０および側板１９の下端縁１６が安定支持され、安易な取り外れが防止されている。
【００３３】
図７および図８に基づいて、展示ケース１の施錠方法について説明する。図７（ａ）に示されるように、下向片１７が開口４ａ内に挿し込まれた状態では、係合孔１７ａに対して、板状ロック片２４ａの高さ位置が略同位置で収納凹部１１ｂ内に設けられるとともに、開口４ａの受け溝４ｂも略同位置で形成され左右方向に連通されている。
【００３４】
次いで、鍵２５が施錠操作部２４ｂに挿し込まれ、図７（ｂ）に示されるように施錠装置２４の解錠状態から、矢示される時計回り方向に向けて鍵操作されることで、施錠操作部２４ｂが回動されるとともに、板状ロック片２４ａが係合孔１７ａ内に向けて移動される。そして図８（ａ）に示されるように、鍵２５の鍵操作によって施錠操作部２４ｂが９０度に回転操作されると、板状ロック片２４ａの先端が係合孔１７ａを通過して受け溝４ｂ内に収納され施錠装置２４の施錠状態となり、施錠操作部２４ｂから鍵２５が取り外される。
【００３５】
図８（ｂ）に示されるように、施錠装置２４の施錠状態では、係合孔１７ａ内に板状ロック片２４ａを挿通したことで下向片１７が係止され、蓋体１５の上方への取り外しを規制しているとともに、板状ロック片２４ａの先端が受け溝４ｂ内に収納されたことで、より強固に下向片１７の係止状態が維持されている。蓋体１５を取り外すには、再度鍵操作によって板状ロック片２４ａと係合孔１７ａの係止状態を解除すればよく、蓋体１５の下向片１７と板状ロック片２４ａとの係脱が確実に行われる。
【００３６】
次に、施錠装置２４の解錠後における蓋体１５の着脱について説明する。図９に示されるように蓋体１５を取り外すには、まず蓋体１５の前方を上方に持ち上げて前板２０の下端縁１６を縁材２２の凹字状内壁面２２ａから取り外し、次いで、左右一対の下向片１７を少なくとも凹字状内壁面２１ａの底部よりも上方位置に移動して左右の側板１９を前上方に傾斜させ、この傾斜を保った状態で蓋体１５を前方に向けて移動することで、側板１９後部の下端縁１６が凹字状内壁面２１ａ内に沿って前方に向けて円滑に摺動されながら案内される。
【００３７】
そして、照明装置２６が蓋体１５の上面板１５ａから上下方向に所定距離（Ｓ）離間されているので、蓋体１５が持ち上げられた場合であっても、照明装置１５に上面板１５ａが当接するようなことはなく前方に引き出され、照明装置１５と干渉することのない位置まで引き出されれば、蓋体１５を持ち上げて載置台２側から取り外すことができる。蓋体１５の取り付けには、取り外しと逆の手順で側板１９後部の下端縁１６を凹字状内壁面２１ａ内に沿って後方に向けて摺動していくことで、容易に蓋体１５を載置台２に取り付けることができる。
【００３８】
本実施例では、照明装置２６が蓋体１５の上面板１５ａから所定距離離間して支持されているので、照明装置２６の交換や点検が蓋体１５の開閉と無関係に行える。しかも展示物Ｔの交換等に際しては、蓋体１５を前上方に傾斜させながら、溝条Ｍ２に設けられた凹字状内壁面２１ａ内を前後に摺動させることで、照明装置２６に何等手を施すことなく容易に蓋体１５を載置台２側から取り外すことが可能であり、蓋体１５の摺動不能状態においては、蓋体１５をみだりに取り外されることなく展示物Ｔを盗難やイタズラ等から未然に保護することができる。
【００３９】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、左右の溝条Ｍ２，Ｍ２が左右の杆材１１，１１と載置台２の間に形成されるので複雑な構造となることなく、蓋体１５を前後方向に向けて摺動できることから好ましいが、本発明はこれに限定されるものではなく、溝条の形成位置を、左右の杆材１１，１１の上面に前後の長さ方向に沿って開口上向き凹字状に形成しても良いし、載置台２の左右側端近傍の上面に前後の長さ方向に沿って開口上向き凹字状に形成しても良く、どちらの場合であっても、蓋体１５を円滑に前後方向に摺動することができる。そして、溝条Ｍ１は蓋体１５が安定支持されるために形性されているが、この溝条Ｍ１は形成しなくても本発明の課題は達成されるものである。
【００４０】
また、上記実施例では、左右の溝条Ｍ２，Ｍ２にそれぞれ縁材２１，２１を架設したことで、溝条Ｍ２と側板１９の下端縁１６との取り付け幅が調整され、蓋体１５が安定支持されることから好ましいが、本発明はこれに限定されるものではなく、縁材２１を溝条Ｍ２に設けずに、側板１９の下端縁１６を直に溝条Ｍ２内に取り付けた場合であっても、下端縁１６が溝条Ｍ２の前後方向に沿って摺動可能となっている。
【００４１】
また、上記実施例では、対向し合う左右の杆材１１，１１に２箇所の施錠装置２４，２４を設けたことで施錠の信頼度が高められ、蓋体１５の取り外しを規制でき、展示物Ｔの盗難等を防止できることから好ましいが、本発明はこれに限定されるものではなく、盗難等の危険性がない展示物の場合には、施錠装置２４および蓋体１５の下向片１７を設けずに、蓋体１５によって埃や湿気等から展示物が保護される展示ケースとしても良い。
【００４２】
また、上記実施例では、照明装置２６を取り付ける支持体を左右の後部脚体７，７を利用したことで、照明装置２６の支持構造を複雑にすることなく構成できることから好ましいが、本発明はこれに限定されるものではなく、別途に新たな支持体を展示ケース１の後部に設け、その支持体に照明装置２６を取り付けるようにしてもよい。
【００４３】
また、上記実施例では、蓋体１５の下端縁１６よりも下方に向けて設けられた下向片１７の係合孔１７ａに板状ロック片２４ａが係脱され蓋体１５の施解錠が行われているが、本発明はこれに限定されるものではなく、下向片１７を設けることなく、例えば下端縁１６に対して直に係脱可能な施錠装置を設けることで、蓋体１５の施解錠を行うようにしても良い。また、係合孔１７ａと板状ロック片２４ａの係脱に限定することなく、下端縁に嵌合凹穴を形成し、施錠装置に左右方向に切換え制御する棒材を備え、嵌合凹穴と棒材との凹凸嵌合により蓋体の施解錠を行うこともできる。
【図面の簡単な説明】
【００４４】
【図１】本発明の実施例における展示ケースの全体像を示す斜視図である。
【図２】展示ケースの分解組立斜視図である。
【図３】展示物を覆う蓋体の取り付けおよび取り外しを示す斜視図である。
【図４】（ａ）は、本実施例における蓋体の背面側の斜視図であり、（ｂ）は、変形例である蓋体の背面側の斜視図である。
【図５】蓋体の取り付け時における載置台の前方角部および、その近傍を示す要部拡大斜視図である。
【図６】蓋体の取り付け時における載置台の側部および、その近傍を示す要部拡大斜視図である。
【図７】（ａ）は、載置台の開口部内に蓋体の下向片が差し込まれた状態および施錠装置対し、鍵を操作する状態を示す正面視断面図であり、（ｂ）は、図７（ａ）のＡ−Ａ断面線の断面図である。
【図８】（ａ）は、鍵操作によって蓋体の下向片が施錠装置に施錠された平面視断面図であり、（ｂ）は、図８（ａ）のＢ−Ｂ断面線の断面図である。
【図９】蓋体の取り外し過程を示す側面視概略図である。
【符号の説明】
【００４５】
１                展示ケース
２                載置台
３                前端上縁の切欠き部
４                左右端上縁の切欠き部
４ａ              開口
４ｂ              板状ロック片の受け溝
６                前部脚体
６ａ              連結部
７                後部脚体（支持体）
７ａ              連結部
８                背面板
９                上部横杆
１０              連結材
１１              左右前後の杆材
１１ａ            側端面部
１１ｂ            施錠装置の収納凹部
１２              枠体
１３              支持金具
１３ａ            水平片
１３ｂ            垂直片
１４、１４’      幕板
１５、１５’      箱状の蓋体
１５ａ            上面板
１６              下端縁
１７              下向片
１７ａ            係合孔
１８、１８        後板
１８ａ            開口
１９              側板
１９ａ            手掛部
２０              前板
２１、２２        縁材
２１ａ、２２ａ    凹字状内壁面
２１ｂ、２２ｂ    延出部
２１ｃ            貫通孔
２４              施錠装置
２４ａ            板状ロック片
２４ｂ            施錠操作部
２５              鍵
２６              照明装置
２７              配線ダクト
２８              床面
Ｓ                所定距離
Ｔ                展示物
Ｍ１、Ｍ２        溝条
【図１】
0004813195.tif 000002
【図２】
0004813195.tif 000003
【図３】
0004813195.tif 000004
【図４】
0004813195.tif 000005
【図５】
0004813195.tif 000006
【図６】
0004813195.tif 000007
【図７】
0004813195.tif 000008
【図８】
0004813195.tif 000009
【図９】
0004813195.tif 000010